(57)【要約】【課題】立体表示に利用される眼鏡式の画像表示装置において、パネル温度などの要因によって変化する液晶応答時間に応じて、クロストークを抑えた最適な立体表示を行う。【解決手段】液晶パネル３７に送信される画像データを画像符号回路１６で圧縮して符号化し、画像復号化回路３５で復号化することで、画像データの転送レートを上げ、表示パネルにおける走査期間を短縮する。上記符号化を行う際の圧縮率は、温度センサー３１によって検出されたパネル温度に基づいて決定される。【選択図】図１
2013088483.tif 000002
【特許請求の範囲】
【請求項１】
表示パネルとバックライトとを有する画像表示装置において、
上記表示パネルに送信される画像データを符号化するものであり、該データ符号化を行う際の圧縮率が可変である画像符号化手段と、
上記画像符号化手段によって符号化された画像データを、元の画像データに復号化する画像復号化手段と、
上記表示パネルのパネル温度を検出する温度検出手段と、
上記温度検出手段によって検出されたパネル温度に基づいて、上記画像符号化手段でデータ符号化を行う際の圧縮率を決定する圧縮率決定手段と、
上記圧縮率決定手段によって決定された圧縮率に基づいて、上記表示パネルにおける走査期間を算出する走査期間算出手段と、
上記バックライトの点灯期間を制御するバックライト制御手段とを備えており、
上記圧縮率決定手段は、上記パネル温度に対応する液晶応答時間と、上記走査期間との合計が１フレーム期間を超えないように、上記圧縮率を決定するものであり、
上記バックライト制御手段は、上記表示パネルにおける全ての画素で液晶応答が完了している状態でバックライトを点灯するように、バックライトの点灯制御を行う、画像表示装置。
【請求項２】
上記圧縮率決定手段は、設定可能な複数の圧縮率の中から、最も低い圧縮率を選択するものであり、
上記走査期間算出回路は、上記圧縮率に基づいて走査期間を算出するものであり、
上記バックライト制御手段は、１フレーム期間から液晶応答時間と走査期間とを引いた期間を、上記バックライトの点灯期間とする、請求項１に記載の画像表示装置。
【請求項３】
上記バックライト制御手段は、予め定められた所定の期間をバックライトの点灯期間とするものであり、
上記走査期間算出回路は、１フレーム期間から液晶応答時間と上記バックライト点灯期間とを引いた期間を、上記走査期間として算出するものであり、
上記圧縮率決定手段は、上記走査期間を達成できるように、上記圧縮率を決定する、請求項１に記載の画像表示装置。
【請求項４】
表示パネルとバックライトとを有する画像表示装置の駆動方法において、
上記表示パネルのパネル温度を検出する温度検出工程と、
上記温度検出工程によって検出されたパネル温度に基づいて、上記表示パネルに送信される画像データを符号化する際の圧縮率を決定する圧縮率決定工程と、
上記圧縮率決定工程によって決定された圧縮率に基づいて、上記表示パネルに送信される画像データを符号化する画像符号化工程と、
上記圧縮率決定工程によって決定された圧縮率に基づいて、上記表示パネルにおける走査期間を算出する走査期間算出工程と、
上記画像符号化工程によって符号化された画像データを、元の画像データに復号化する画像復号化工程と、
上記バックライトの点灯期間を制御するバックライト制御工程とを有しており、
上記圧縮率決定工程では、上記パネル温度に対応する液晶応答時間と、上記走査期間との合計が１フレーム期間を超えないように、上記圧縮率を決定し、
上記バックライト制御工程では、上記表示パネルにおける全ての画素で液晶応答が完了している状態でバックライトを点灯するように、バックライトの点灯制御を行う、画像表示装置の駆動方法。
【発明の詳細な説明】
【技術分野】
【０００１】
本発明は、立体表示に利用される眼鏡式の画像表示装置およびその駆動方法に関する。
【背景技術】
【０００２】
従来、液晶パネルを利用した立体視用の特殊眼鏡を装着させて観察者の両眼に視差のある別々の画像を見せることで、立体視を実現する眼鏡式の立体表示装置が知られている。立体視を実現するためには、左眼と右眼とに異なる視差画像を見せる必要があるため、左眼画像と右眼用画像との二つの視差画像が必要となる。
【０００３】
眼鏡式の立体表示装置では、２次元パネルに時分割で左眼用画像と右眼用画像とを交互に表示して、その表示タイミングに同期させてシャッター眼鏡のシャッターを左右交互にオン／オフ制御することで立体視を実現する。ただ、液晶表示パネルの場合、液晶の応答時間の問題があり、パネル上部からパネル下部にむかって液晶を駆動していく場合に、パネル下部の液晶の応答が完了する前に、次フレームのパネル上部の液晶駆動が開始されるので、クロストーク（左眼画像と右眼画像が混ざる）が発生する。
【０００４】
クロストークを解消するために、たとえば左眼用画像をＬ、右眼用画像をＲとすると、６０Ｈｚのフレーム周期内でＬ，Ｌ，Ｒ，Ｒの順に画像表示する方法がある。この場合には同じ画像を２度書きするので、左右の画像表示１枚ずつ表示する場合に比べて、クロストークを低減することはできる。さらに液晶パネルを利用した画像表示装置で、立体視する際のクロストーク低減のために、バックライトを常時点灯するのではなく、液晶の応答が安定した時間のみに点灯させるという方法がある。
【先行技術文献】
【特許文献】
【０００５】
【特許文献１】特開２０１１−７５６６８号公報（２０１１年４月１４日公開）
【特許文献２】特開２０１０−２８６５５５号公報（２０１０年１２月２４日公開）
【発明の概要】
【発明が解決しようとする課題】
【０００６】
立体表示時のクロストークを抑制するために、特許文献１では、第１の駆動モードと、それよりも走査期間の短い第２の駆動モードとを備え、温度が所定の温度より高くなった場合に第２の駆動モードを選択することで、低温以外の環境下において最適な立体表示を可能にしている。
【０００７】
しかしながら、特許文献１の画像表示装置では、低温環境下においてクロストークを抑制することはできない。通常の液晶表示パネルでは、低温環境下での書き込みを保証するため、低温環境下で適切な書き込みが行えるよう走査期間を設定している。このため、低温環境以外では走査期間に余裕が生じており、特許文献１では、低温以外の環境下でのみ上記余裕分の走査期間を短縮して、第２の駆動モードを実現している。
【０００８】
また、液晶の応答時間は、温度だけでなく、液晶の特性、トランジスタ特性に依存するので、それらを鑑みて、２種類以上の最適な走査期間を選択する必要がある。
【０００９】
また、特許文献１では、第２の駆動モードにおいて走査期間を短くするには、タイミングコントローラとソースドライバとの間の転送レートがボトルネックとなるので、画像圧縮を用いて転送量を削減する必要がある。特許文献１で採用されているＹＵＶ変換（ＲＧＢの画像信号を輝度信号Ｙと色差信号ＵＶに変換する）では、圧縮率を可変にすることができないという問題点がある。
【００１０】
また、特許文献２では、クロストークを抑制する方法として、左眼画像と右眼画像との視差量やコントラストを用いて、バックライト点灯期間を最適化するという手段が提示されているが、根本的に左眼画像と右眼画像とが混ざる期間をなくさないとクロストークをなくすことはできない。
【００１１】
本願発明は、上記課題に鑑みてなされたものであり、パネル温度などの要因によって変化する液晶応答時間に応じて、クロストークを抑えた最適な立体表示が可能となる画像表示装置およびその駆動方法を提供することを目的としている。
【課題を解決するための手段】
【００１２】
上記の課題を解決するために、本発明の画像表示装置は、表示パネルとバックライトとを有する画像表示装置において、上記表示パネルに送信される画像データを符号化するものであり、該データ符号化を行う際の圧縮率が可変である画像符号化手段と、上記画像符号化手段によって符号化された画像データを、元の画像データに復号化する画像復号化手段と、上記表示パネルのパネル温度を検出する温度検出手段と、上記温度検出手段によって検出されたパネル温度に基づいて、上記画像符号化手段でデータ符号化を行う際の圧縮率を決定する圧縮率決定手段と、上記圧縮率決定手段によって決定された圧縮率に基づいて、上記表示パネルにおける走査期間を算出する走査期間算出手段と、上記バックライトの点灯期間を制御するバックライト制御手段とを備えており、上記圧縮率決定手段は、上記パネル温度に対応する液晶応答時間と、上記走査期間との合計が１フレーム期間を超えないように、上記圧縮率を決定するものであり、上記バックライト制御手段は、上記表示パネルにおける全ての画素で液晶応答が完了している状態でバックライトを点灯するように、バックライトの点灯制御を行うことを特徴としている。
【００１３】
上記の構成によれば、表示パネルに送信される画像データを圧縮して符号化し、表示パネル側で符号化された画像データを、元の画像データに復号化することで、画像データの転送レートを上げ、表示パネルにおける走査期間を短縮することができる。上記符号化を行う際の圧縮率は可変であり、該圧縮率は、上記温度検出手段によって検出されたパネル温度に基づいて決定される。これにより、表示パネルのパネル温度に応じて、表示パネルにおける走査期間が適切に短縮され、１フレーム内で液晶応答を完了させ（同一フレーム内でＬ画像とＲ画像とが混じることを避け）クロストークの発生を防止できる。
【００１４】
この時、上記表示パネルにおける走査期間は、上記圧縮率に基づいて算出され、上記バックライト制御手段は、上記表示パネルにおける全ての画素で液晶応答が完了している状態でバックライトを点灯するように、バックライトの点灯制御を行う。
【００１５】
また、上記画像表示装置では、上記圧縮率決定手段は、設定可能な複数の圧縮率の中から、最も低い圧縮率を選択するものであり、上記走査期間算出回路は、上記圧縮率に基づいて走査期間を算出するものであり、上記バックライト制御手段は、１フレーム期間から液晶応答時間と走査期間とを引いた期間を、上記バックライトの点灯期間とする構成とすることができる。
【００１６】
また、上記画像表示装置では、上記バックライト制御手段は、予め定められた所定の期間をバックライトの点灯期間とするものであり、上記走査期間算出回路は、１フレーム期間から液晶応答時間と上記バックライト点灯期間とを引いた期間を、上記走査期間として算出するものであり、上記圧縮率決定手段は、上記走査期間を達成できるように、上記圧縮率を決定する構成とすることができる。
【００１７】
また、上記の課題を解決するために、本発明の画像表示装置の駆動方法は、表示パネルとバックライトとを有する画像表示装置の駆動方法において、上記表示パネルのパネル温度を検出する温度検出工程と、上記温度検出工程によって検出されたパネル温度に基づいて、上記表示パネルに送信される画像データを符号化する際の圧縮率を決定する圧縮率決定工程と、上記圧縮率決定工程によって決定された圧縮率に基づいて、上記表示パネルに送信される画像データを符号化する画像符号化工程と、上記圧縮率決定工程によって決定された圧縮率に基づいて、上記表示パネルにおける走査期間を算出する走査期間算出工程と、上記画像符号化工程によって符号化された画像データを、元の画像データに復号化する画像復号化工程と、上記バックライトの点灯期間を制御するバックライト制御工程とを有しており、上記圧縮率決定工程では、上記パネル温度に対応する液晶応答時間と、上記走査期間との合計が１フレーム期間を超えないように、上記圧縮率を決定し、上記バックライト制御工程では、上記表示パネルにおける全ての画素で液晶応答が完了している状態でバックライトを点灯するように、バックライトの点灯制御を行うことを特徴としている。
【００１８】
上記の構成によれば、上述した画像表示装置と同様に、表示パネルのパネル温度に応じて、表示パネルにおける走査期間が適切に短縮され、１フレーム内で液晶応答を完了させ（同一フレーム内でＬ画像とＲ画像とが混じることを避け）クロストークの発生を防止できる。
【発明の効果】
【００１９】
本発明は、表示パネルとバックライトとを有する画像表示装置において、上記表示パネルに送信される画像データを符号化するものであり、該データ符号化を行う際の圧縮率が可変である画像符号化手段と、上記画像符号化手段によって符号化された画像データを、元の画像データに復号化する画像復号化手段と、上記表示パネルのパネル温度を検出する温度検出手段と、上記温度検出手段によって検出されたパネル温度に基づいて、上記画像符号化手段でデータ符号化を行う際の圧縮率を決定する圧縮率決定手段と、上記圧縮率決定手段によって決定された圧縮率に基づいて、上記表示パネルにおける走査期間を算出する走査期間算出手段と、上記バックライトの点灯期間を制御するバックライト制御手段とを備えており、上記圧縮率決定手段は、上記パネル温度に対応する液晶応答時間と、上記走査期間との合計が１フレーム期間を超えないように、上記圧縮率を決定するものであり、上記バックライト制御手段は、上記表示パネルにおける全ての画素で液晶応答が完了している状態でバックライトを点灯するように、バックライトの点灯制御を行う構成である。
【００２０】
それゆえ、表示パネルのパネル温度に応じて、表示パネルにおける走査期間が適切に短縮され、１フレーム内で液晶応答を完了させ（同一フレーム内でＬ画像とＲ画像とが混じることを避け）クロストークの発生を防止できるといった効果を奏する。
【図面の簡単な説明】
【００２１】
【図１】本発明の一実施形態を示すものであり、画像表示装置の構成を示すブロック図である。
【図２】１２０Ｈｚのフレームレートで画像を出力する場合であって、画像データの圧縮を行わない場合の、液晶パネルの走査期間および液晶応答時間を示す図である。
【図３】液晶応答時間情報の１例を示す図である。
【図４】実施例１における液晶パネルの走査期間および液晶応答時間、並びにバックライト点灯タイミングを示す図である。
【図５】２４０Ｈｚのフレームレートで同じ画像を２回出力する場合であって、画像データの圧縮を行わない場合の、液晶パネルの走査期間および液晶応答時間を示す図である。
【図６】実施例２における液晶パネルの走査期間および液晶応答時間、並びにバックライト点灯タイミングを示す図である。
【図７】本発明の一実施形態を示すものであり、実施例３に係る画像表示装置の構成を示すブロック図である。
【図８】実施例３における液晶パネルの走査期間および液晶応答時間、並びにバックライト点灯タイミングを示す図である。
【発明を実施するための形態】
【００２２】
〔画像表示装置の構成〕
図１は、本実施の形態に係る画像表示装置の全体構成を示す図である。この画像表示装置は、タイミングコントローラ（ＴＣＯＮ）１０、外部ＲＯＭ（Read Only Memory）３０、温度センサー３１、シャッター眼鏡３２、ゲートドライバ３３、ソースドライバ３４、バックライト３６、および液晶パネル３７を備えて構成されている。
【００２３】
タイミングコントローラ１０は、受信部１１、ガンマ補正回路１２、オーバードライブ回路１３、画像符号化回路１６、液晶応答時間情報記憶部１７、圧縮率決定回路１８、走査期間算出回路２７、温度データ測定回路１９、フレームメモリ１４，１５、フォーマット部２０、送信部２１、およびタイミングジェネレータ２２を備えて構成されている。
【００２４】
また、タイミングジェネレータ２２は、バックライト制御回路２３、眼鏡制御回路２４、ゲート制御回路２５、およびソース制御回路２６から構成される。さらに、ソースドライバ３４は、画像復号化回路３５を有している。
【００２５】
受信部１１は、外部から転送された入力画像信号を受信するものである。ガンマ補正回路１２は、上記入力画像をＬＵＴ（Look Up Table）により変換することによりガンマ特性を補正するものである。オーバードライブ回路１３は、フレーメモリ１５に格納した前フレームの画像データと現在フレームの画像データとをＬＵＴに入力し、現在フレームの画像データを変換するものである。画像符号化回路１６は、圧縮率決定回路１８により決定された圧縮率により、画像データを符号化データに変換するものである。
【００２６】
フォーマット部２０は、ソースドライバ３４の伝送形式に従って、符号化データの配列を変換するものである。送信部２１は、ソースドライバ３４の伝送方式に従って信号転送を行うものである。
【００２７】
ソース制御回路２６は、ソースドライバ３４の制御信号を生成するものである。ゲート制御回路２５は、ゲートドライバ３３の制御信号を生成するものである。眼鏡制御回路２４は、シャッター眼鏡３２のシャッターのＯｎ／Ｏｆｆを制御するものである。
【００２８】
外部ＲＯＭ３０は、タイミングコントローラ１０の動作を決定する情報が格納されているものである。格納されている情報は、ガンマ補正回路１２のＬＵＴ、オーバードライブ回路１３のＬＵＴ、温度別の液晶応答時間情報１７などである。液晶応答時間情報１７は、ＬＵＴとして具備されているものである。
【００２９】
温度データ測定回路１９は、温度センサー３１を用いて液晶パネル３７のパネル温度データを定期的に測定し、測定された温度データを格納するものである。測定されたパネル温度データは、液晶応答時間情報１７への入力とされ、液晶応答時間情報１７のなかの該当する温度の液晶応答時間が選択される。
【００３０】
圧縮率決定回路１８は、選択された温度データにより選択された液晶応答時間と、走査時間との合計が、フレーム周期（フレームレートが１２０Ｈｚの場合、８．３ｍｓ）以下となるように圧縮率を決定するものである。この圧縮率は、画像符号化回路１６において画像データを符号化データに変換する際の圧縮率である。圧縮率決定回路１８で決定された圧縮率は、画像符号化回路１６、走査期間算出回路２７および画像復号化回路３５に転送される。走査期間算出回路２７は、上記圧縮率から走査期間を算出するものである。走査期間は、画像データを圧縮しない場合の走査期間（出力の水平クロック数と内部クロック周期および垂直ライン数から求まる）に圧縮率を乗算することにより算出される。
【００３１】
バックライト制御回路２３は、バックライト３６の点灯開始タイミングおよび点灯期間を制御するものである。バックライト制御回路２３は、上述のようにして求まった液晶応答時間および走査期間から、バックライト３６の点灯開始タイミングおよび点灯期間を決定する。
【００３２】
〔実施例１〕
図２は、フレームレートが１２０Ｈｚ（フレーム周期は８．３ｍｓ）の場合で画像データを圧縮しない場合の走査期間および液晶応答時間の一例を示している。パネル上部の走査開始から、パネル下部の走査開始までの時間が走査期間とり、走査を開始してから、液晶の応答が完了するまでの時間が液晶応答時間となる。図２の場合では、Ｌ画像のパネル下部の液晶の応答時間がＲ画像のパネル上部の走査期間開始と重なるために、Ｌ画像とＲ画像とが混じって見えてしまうクロストークが発生する。
【００３３】
図３は、液晶応答時間情報１７の１例を示している。液晶応答時間情報１７には、温度別に液晶応答時間が格納されており、温度センサーより読み出された温度から、該当の液晶応答時間が選択される。
【００３４】
図４は、本実施例１における走査期間および液晶応答時間を示している。この時のパネル温度は２０℃とする。また、圧縮を行わない場合の走査期間は８．０ｍｓであるとする。図３に示される液晶応答時間情報１７に現時点のパネル温度２０℃を入力すれば、液晶応答時間は４．０ｍｓであることが出力される。フレーム周期は８．３ｍｓなので、この時、１フレーム内で液晶応答を完了させるためには、走査期間は４．３ｍｓ以下とする必要がある。圧縮をしない場合の走査期間は８．０ｍｓであるから、圧縮率を５０％に設定すれば走査期間は４．０ｍｓとなり、図４に示すように、１フレーム内で液晶応答を完了させ（同一フレーム内でＬ画像とＲ画像とが混じることを避け）クロストークの発生を防止できる。
【００３５】
また、１フレーム期間８．３ｍｓから、走査期間４．０ｍｓおよび液晶応答時間４．０ｍｓを引いた残りは０．３ｍｓとなり、これがバックライト点灯期間となる。したがって、バックライト制御回路２３は、パネル上部の捜査開始時間から８．０ｍｓ後に点灯を開始し、その点灯時間が０．３ｍｓとなるように、バックライト３６を制御する。
【００３６】
本実施例１における圧縮率は、設定可能な複数の圧縮率の中から、クロストークの低減が実現でき、かつ、最も低い圧縮率が選択されるように設定されるものとする。これは、一般的に圧縮率が高いと画質が劣化するので、なるべく圧縮率は低いほうが望ましいためである。例えば、上記の例では、走査期間を４．３ｍｓ以下とするためには圧縮率は５０％ではなく例えば４０％でも良いが、圧縮率をできるだけ低くするため、５０％の圧縮率が選択される。
【００３７】
また、画像符号化および画像復号化に用いる手法としては、圧縮率を可変にできるのであれば、どのような手法でも用いることができる。例えば、隣接画素の差分値により、ＤＰＣＭ（Differential Pulse Code Modulation）とＰＣＭ（Pulse Code Modulation）とを切り替えるような固定長符号化手法を用いることができる。この圧縮方法を使えば圧縮率の種別として、以下のようなバリエーションが存在することになり、そのバリエーションの中から圧縮率を選択することになる。以下の例では、元の画像データが３０ｂｉｔ（ＲＧＢ各１０ｂｉｔ）であるとする。
２８／３０：量子化データ２７ｂｉｔ（ＲＧＢ各９ｂｉｔ）＋符号化モード１ｂｉｔ
２５／３０：量子化データ２４ｂｉｔ（ＲＧＢ各８ｂｉｔ）＋符号化モード１ｂｉｔ
２２／３０：量子化データ２１ｂｉｔ（ＲＧＢ各７ｂｉｔ）＋符号化モード１ｂｉｔ
１９／３０：量子化データ１８ｂｉｔ（ＲＧＢ各６ｂｉｔ）＋符号化モード１ｂｉｔ
１６／３０：量子化データ１５ｂｉｔ（ＲＧＢ各５ｂｉｔ）＋符号化モード１ｂｉｔ
１３／３０：量子化データ１２ｂｉｔ（ＲＧＢ各４ｂｉｔ）＋符号化モード１ｂｉｔ
また、本実施例１では、画像データの圧縮率に応じてバックライト点灯時間が設定されるため、圧縮率によってバックライト点灯時間に差が出る可能性がある。このため、バックライトの輝度が一定であれば、同じ画像表示が表示される場合であっても、画像の明るさに差が生じる可能性がある。これを回避するためには、バックライトをアクティブバックライトとし、バックライト点灯時間に応じてバックライト輝度を調整する構成とすれば良い。バックライトの光源としてＬＥＤを用いれば、電流値で明るさを調整することも可能であり、バックライト点灯時間が変化しても、これによる表示画像の明るさの変化を、バックライト輝度の調整によって補償することができる。
【００３８】
〔実施例２〕
図５は、フレームレートが２４０Ｈｚの場合（同じ画像を２度出力する場合）で画像データを圧縮しない場合の走査期間および液晶応答時間の一例を示している。図５の場合では、Ｌ画像のパネル下部の液晶応答時間がＲ画像のパネル上部の走査期間開始と重なるために、Ｌ画像とＲ画像とが混じって見えてしまうクロストークが発生する。
【００３９】
図６は、本実施例２における走査期間および液晶応答時間を示している。この時のパネル温度は１０℃とする。また、圧縮を行わない場合の走査期間は４．０ｍｓであるとする。図３に示される液晶応答時間情報１７に現時点のパネル温度１０℃を入力すれば、液晶応答時間は４．４ｍｓであることが出力される。フレーム周期は８．３ｍｓなので、この時、１フレーム内で液晶応答を完了させるためには、走査期間は３．９ｍｓ以下とする必要がある。圧縮をしない場合の走査期間は８．０ｍｓであるから、圧縮率を８０％に設定すれば走査期間は３．２ｍｓとなり、図６に示すように、１フレーム内で液晶応答を完了させ（同一フレーム内でＬ画像とＲ画像とが混じることを避け）クロストークの発生を防止できる。
【００４０】
また、１フレーム期間８．３ｍｓから、走査期間３．２ｍｓおよび液晶応答時間４．４ｍｓを引いた残りは０．７ｍｓとなり、これがバックライト点灯期間となる。したがって、バックライト制御回路２３は、パネル上部の捜査開始時間から７．６ｍｓ後に点灯を開始し、その点灯時間が０．７ｍｓとなるように、バックライト３６を制御する。
【００４１】
〔実施例３〕
図７は、本実施例３に係る画像表示装置の全体構成を示す図である。図７に示される画像表示装置の構成は、図１の構成とほぼ同じであるため、相違点のみを説明し、図１と同一の構成については説明を省略する。
【００４２】
本実施例３の画像表示装置では、バックライトの点灯期間の情報はバックライト制御回路２２にあらかじめ与えられている。そして、走査期間は、バックライトの点灯時間と計測された温度データに該当する液晶応答時間から算出される。圧縮率決定回路１８は、算出された走査期間を満たすように圧縮率を決定する。
【００４３】
図５は、フレームレートが２４０Ｈｚの場合（同じ画像を２度出力する場合）で画像データを圧縮しない場合の走査期間および液晶応答時間の一例を示している。図５の場合では、Ｌ画像のパネル下部の液晶応答時間がＲ画像のパネル上部の走査期間開始と重なるために、Ｌ画像とＲ画像とが混じって見えてしまうクロストークが発生する。
【００４４】
図８は、フレームレートが２４０Ｈｚの場合（同じ画像を２度出力する場合）で、あらかじめバックライトの点灯時間が１．６ｍｓと決められている場合の走査期間および液晶応答時間の一例を示している。この時の液晶応答時間は、実施例２と同じ４．４ｍｓ（パネル温度１０℃）とする。この時、バックライトの点灯時間が１．６ｍｓに決まっているので、走査期間を２．４ｍｓにする必要がある。その結果、圧縮率は６０％に設定される。
【００４５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００４６】
本発明は、眼鏡式の立体表示に利用される画像表示装置に利用することができる。
【符号の説明】
【００４７】
１０        タイミングコントローラ
１４，１５  フレームメモリ
１６        画像符号化回路（画像符号化手段）
１７        液晶応答時間情報
１８        圧縮率決定回路（圧縮率決定手段）
１９        温度データ測定回路（温度検出手段）
２２        タイミングジェネレータ
２３        バックライト制御回路（バックライト制御手段）
２７        走査期間算出回路（走査期間算出手段）
３１        温度センサー（温度検出手段）
３３        ゲートドライバ
３４        ソースドライバ
３５        画像復号化回路（画像復号化手段）
３６        バックライト
３７        液晶パネル（表示パネル）
【図１】
2013088483.tif 000003
【図２】
2013088483.tif 000004
【図３】
2013088483.tif 000005
【図４】
2013088483.tif 000006
【図５】
2013088483.tif 000007
【図６】
2013088483.tif 000008
【図７】
2013088483.tif 000009
【図８】
2013088483.tif 000010